(57)【要約】【課題】ＬＥＤを使用して同一の光源でマップランプ・ルームランプの機能を持たせ、部品点数を減らす。【解決手段】ベース１の裏側に設けたガイド部材２にスライド可能にスライドパネル３を取り付け、ベース１の表側に複数のレンズＬ１〜Ｌ４を設け、ガイド部材２にフレキシブルプリント基板（ＦＰＣ）４のＬＥＤ５を実装した部分を取り付け、光源となるＬＥＤ５の光はそれぞれのレンズＬ１〜Ｌ４を介して照射され、前記ＦＰＣ４から分岐した分岐基板４ＡにＬＥＤ点灯用のスイッチ６を実装し、スイッチ６のオン動作とその後の動作によりＬＥＤ５とレンズＬ１〜Ｌ４の対応位置が変化するようにスライドパネル３をスライドさせるように構成した。【選択図】図１
2007238017.tif 000002
【特許請求の範囲】
【請求項１】
ベースの裏側に設けたガイド部材にスライド可能にスライドパネルを取り付け、
ベースの表側に複数のレンズを設け、
前記ガイド部材にフレキシブルプリント基板（ＦＰＣ）のＬＥＤを実装した部分を取り付け、
光源となるＬＥＤの光はそれぞれのレンズを介して照射され、
前記ＦＰＣから分岐した分岐基板にＬＥＤ点灯用のスイッチを実装し、
このスイッチのオン動作とその後の動作によりＬＥＤとレンズの対応位置が変化するように前記スライドパネルをスライドさせるように構成したことを特徴とする車両用照明装置。
【請求項２】
前記スライドパネル側面にパネルに直交せず傾斜させた一対のプレートを取り付け、これらプレート間に上下動するスイッチに設けた突起を挿入し、スイッチの上下動により突起がプレート間を移動することでスライドパネルをスライドさせることを特徴とする請求項１に記載の車両用照明装置。
【請求項３】
前記スイッチをオンさせた状態でＬＥＤの光軸とレンズの中心軸とが合致し、さらにスイッチを動作させて光軸と中心軸とをずらすようにしたことを特徴とする請求項１又は２に記載の車両用照明装置。
【発明の詳細な説明】
【技術分野】
【０００１】
本発明は、車両用照明装置、特に、１つの筐体内にルームランプやマップランプ（スポットランプともいう）等を収納して車両室内天井に設けたオーバーヘッドモジュール（車両用室内灯）に適用して好適な照明装置に関する。
【背景技術】
【０００２】
従来から車両室用には、１つの筐体内にルームランプとマップランプ等を収容して車両室内天井に設けたオーバーヘッドモジュール（車両用室内灯）が用いられている。その構造は、ルームランプ用の舟形バルブとマップランプ用の高輝度バルブが別々に設けられている（特許文献１参照）。
【０００３】
特許文献１の従来技術では、マップランプ用としてのバルブは、その機能から従来のルームランプ用の舟形バルブよりも高輝度であることから、室内夜間照明用としては明るすぎるという問題があり、別々のバルブを用いている。別々のバルブを用いた場合、筐体の大型化、部品点数増大による製品コストの高騰という問題がある。その解決策として１つのバルブを抵抗により照度を変化させ、マップランプ・ルームランプの機能を兼用する構造が考えられている（特許文献２参照）。
【特許文献１】特開２０００−２７２４０９号公報（第３頁、図２）
【特許文献２】特開２００４−１８２０１２号公報（第５頁、図２）
【発明の開示】
【発明が解決しようとする課題】
【０００４】
従来の技術の構造では、光源に電球（バルブ）を用いているが、最近では光源に発光ダイオード（ＬＥＤ）が用いられるようになっている。ＬＥＤの場合でも、特許文献２のように、同一の光源を用いてマップランプ・ルームランプの機能を持たせ、部品点数を削減したいとの要望が強くなってきた。しかしながら、このような要望を満足させるものは、残念ながら見当らなかった。
【０００５】
そこで、本発明は、ＬＥＤを使用して、同一の光源で異なる機能、例えばマップランプ・ルームランプの機能を持たせ、部品点数を減らした車両用室内照明を提供することを目的とする。
【課題を解決するための手段】
【０００６】
上述の目的を達成するため、本発明は、ベースの裏側に設けたガイド部材にスライド可能にスライドパネルを取り付け、ベースの表側に複数のレンズを設け、前記ガイド部材にフレキシブルプリント基板（ＦＰＣ）のＬＥＤを実装した部分を取り付け、光源となるＬＥＤの光はそれぞれのレンズを介して照射され、前記ＦＰＣから分岐した分岐基板にＬＥＤ点灯用のスイッチを実装し、このスイッチのオン動作とその後の動作によりＬＥＤとレンズの対応位置が変化するように前記スライドパネルをスライドさせるように構成したものである。
【発明の効果】
【０００７】
本発明によれば、ベースの裏側に設けたガイド部材にスライド可能にスライドパネルを取り付け、ベースの表側に複数のレンズを設け、前記ガイド部材にフレキシブルプリント基板（ＦＰＣ）のＬＥＤを実装した部分を取り付け、光源となるＬＥＤの光はそれぞれのレンズを介して照射され、前記ＦＰＣから分岐した分岐基板にＬＥＤ点灯用のスイッチを実装し、このスイッチのオン動作とその後の動作によりＬＥＤとレンズの対応位置が変化するように前記スライドパネルをスライドさせるように構成したので、マップランプ兼ルームランプとしてのそれぞれの機能に応じた最適な照射を得ることができ、部品点数を減らし、コストダウンを図ることができる。
【発明を実施するための最良の形態】
【０００８】
以下に、本発明の好適な実施形態について、図面を参照にして説明する。
【０００９】
図１では、ベース１の裏面両側にガイド部材２を固定するとともに、表側に複数のレンズＬ１〜Ｌ４を取り付けてある。前記ガイド部材２には、ガイド溝２Ａが形成され、このガイド溝２Ａにスライドパネル３の両側がスライド可能に嵌め込まれ、このスライドパネル３にフレキシブルプリント基板（ＦＰＣ）４のＬＥＤ５を実装した部分５０を取り付けてある。このＬＥＤ実装部５０がレンズＬ１〜Ｌ４に対向し、ＬＥＤ５の光はレンズＬ１〜Ｌ４から車室内に照射される。前記ＦＰＣ４から分岐した分岐基板４Ａにスイッチ６を取り付け、このスイッチ６の上下動に伴って前記スライドパネル３がスライドするようになっている。
【００１０】
図２は、前記スライドパネル３の両側をガイド溝２Ａに嵌め込んだ状態の斜視図であり、ＦＰＣ４のスライドパネル３から伸長する部分には、制御部品等の他の部品実装部７を設けてある。前記ベース１の両側に設けたガイド部材２は、一側面に設けたものは前後に２つに分けたかっこうで設けられ、その間にスイッチ６の動作によりスライドパネル３をスライドさせるための一対のプレート８をスライドパネル３の側面に固定してある。この一対のプレート８の間にスイッチ６に設けた突起９（図３参照）が挿入されている。
【００１１】
前記スライドパネル３のスライドは、図３に示すように、スイッチ６の上下の動作、例えば図示した状態（オフ）からスイッチ６を上昇させてＬＥＤ５を点灯させる状態（オン）にすると、スイッチ６は左右には動かないので、スイッチ６に設けた突起９が一対のプレート８の間を上昇すると、このプレート８が傾いているためスライドパネル３は、矢印方向にスライドする。スライドパネル３がスライドすると、複数のＬＥＤ５は、それぞれの光軸の位置が変更され、レンズＬ１〜Ｌ４に入射されるＬＥＤ５の光軸も変更される。例えば、スイッチ６を２段階に上昇させるとき、最初の上昇時には、４つのＬＥＤ５の光軸がレンズＬ１〜Ｌ４の中心軸にそれぞれ対応して光を照射していたものが、さらにスイッチ６を上昇させ、スライドパネル３をスライドさせた後は、ＬＥＤ５の光軸がレンズＬ３，Ｌ４の中心軸とずれた状態となる。
【００１２】
光軸とレンズの中心軸とが合致した状態でのＬＥＤ５の照射状態を図４に示す。この状態では、室内全体を照射し、ルームランプとしての使用に適している。スライドパネル３をスライドさせてＬＥＤ５とレンズＬ１〜Ｌ４の位置関係を変化させた状態を図５に示す。このスイッチ６として、プッシュロックスイッチを用いれば、スイッチのノブは持ち上がった状態で固定されるので、スライドパネル３はスライドした位置で固定される。図５の状態では、光源であるＬＥＤ５の位置とレンズＬ１〜Ｌ４の位置がずれることによって、照射方向が運転者側となり、マップランプとして最適な照射範囲を得ることができる。
【００１３】
前記レンズＬ１〜Ｌ４は、全て同じレンズを使用したが、光を拡散するレンズや収束するレンズを用い、ＬＥＤ５の移動量を大きくして、ＬＥＤ５と対応するレンズを変えることもできる。
【図面の簡単な説明】
【００１４】
【図１】本発明の好適な実施形態を示す分解斜視図。
【図２】組み立てた状態の斜視図。
【図３】スライドパネルのスライド操作を説明する斜視図。
【図４】ルームランプとして使用する状態の説明図。
【図５】マップランプとして使用する状態の説明図。
【符号の説明】
【００１５】
１    ベース
２    ガイド部材
３    スライドパネル
４    ＦＰＣ
４Ａ  分岐基板
５    ＬＥＤ
５０  ＬＥＤ実装部
６    スイッチ
Ｌ１〜Ｌ４  レンズ
８    一対のプレート
９    突起
【図１】
2007238017.tif 000003
【図２】
2007238017.tif 000004
【図３】
2007238017.tif 000005
【図４】
2007238017.tif 000006
【図５】
2007238017.tif 000007